Podtech/llm-jp-corpus-v4-ja_patent huggingface dataset:
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
外側組のガス流ホール、内側組のガス流ホール、及び１組の光学的計測ホールを有するガス分配プレートと、
上記ガス分配プレートに結合された上部区分であって、上記外側組のガス流ホールに流体結合された第１プレナム、及び上記内側組のガス流ホールに流体結合された第２プレナムを有し、これらプレナムが該上部区分内で流体分離されているような上部区分と、
上記ガス分配プレートを上記上部区分に結合する接着剤の同心的リングであって、該同心的リングは、上記ガス分配プレートを上記上部区分から離間させて維持し、上記ガス分配プレートと上記上部区分との間に画成された半径方向に分離された同心的プレナムを形成する、上記同心的リングと、
接着剤の同心的リング間に配置された接着剤のビードであって、上記ガス分配プレートと、上記上部区分と、一対の接着剤リングとの間に存在するガスは、上記ビードの周りに流れることができる、上記ビードと、
上記上部区分を通して配置されたセラミックプラグであって、上記光学的計測ホールに整列された光学的透過領域を有しているセラミックプラグと、
を備えたシャワーヘッドアセンブリ。
【請求項２】
上記上部区分を通して配置され且つ上記プラグに整列されたウインドウを更に備えた、請求項１に記載のシャワーヘッドアセンブリ。
【請求項３】
上記ウインドウは、更に、光学的監視システムにより使用される信号を透過する材料で構成される、請求項２に記載のシャワーヘッドアセンブリ。
【請求項４】
上記ウインドウは、更に、石英で構成される、請求項２に記載のシャワーヘッドアセンブリ。
【請求項５】
上記上部区分は、更に、くぼみが形成されたベースを備え、上記ガス分配プレートが該くぼみをカバーし、更に、上記ウインドウが該くぼみに配置される、請求項２に記載のシャワーヘッドアセンブリ。
【請求項６】
上記ガス分配プレートは、バルクイットリアから製造される、請求項１に記載のシャワーヘッドアセンブリ。
【請求項７】
上記光学的透過領域は、更に、複数の高アスペクト比のホールを含む、請求項１に記載のシャワーヘッドアセンブリ。
【請求項８】
上記上部区分は、更に、
段付きくぼみを有するベースと、
上記くぼみに配置された第１プレートと、
上記第１プレートと上記ベースとの間で上記くぼみに配置された第２プレートと、
上記第１及び第２プレートの間に配置されて、上記第１及び第２のプレナムを分離するバリア壁と、
を備えた、請求項１に記載のシャワーヘッドアセンブリ。
【請求項９】
上記上部区分は、更に、上記第１プレートを上記第２プレートから離間する複数のピンを備えた、請求項８に記載のシャワーヘッドアセンブリ。
【請求項１０】
上記ピンは、上記第１及び第２プレートにプレスフィットされる、請求項９に記載のシャワーヘッドアセンブリ。
【請求項１１】
上記第１プレートは、複数のガス通路を備え、各ガス通路は、更に、第１ボアホールと第２ボアホールとの間に配置されたオリフィスホールを備え、上記ボアホールは、該オリフィスホールに比して実質的に大きな直径及び深さを有する、請求項９に記載のシャワーヘッドアセンブリ。
【請求項１２】
段付きくぼみを有するベースと、
上記くぼみに配置された第１プレートと、
上記第１プレートと上記ベースとの間で上記くぼみに配置された第２プレートと、
複数の高アスペクト比のホールが貫通形成されたセラミックプラグであって、高アスペクト比のホールは、直径が約１．５ｍｍ未満で、且つアスペクト比（高さ対直径）が少なくとも約１０：１であるようなセラミックプラグと、
上記第１プレートと第２プレートとの間に配置されたバリア壁であって、上記第１及び第２プレートで画成された第１プレナムと第２プレナムを分離するバリア壁と、
複数の同心的接着剤ラインにより上記第１プレートに結合されたガス分配プレートであって、上記接着剤ライン間に複数のガス流ホールが整列されているガス分配プレートと、
上記ベース、上記プレート、上記セラミックプラグ及び上記ガス分配プレートを通して画成された光学的透過通路と、
を備えたシャワーヘッドアセンブリ。
【請求項１３】
上記ガス分配プレートを上記上部区分に結合する接着剤の同心的リングを更に備え、上記同心的リングは、上記ガス分配プレートと上記上部区分との間に画成された半径方向に分離された同心的プレナムを形成する、請求項１２に記載のシャワーヘッドアセンブリ。
【請求項１４】
接着剤の同心的リング間に配置された接着剤のビードを更に備え、上記ガス分配プレートと、上記上部区分と、一対の接着剤リングとの間に存在するガスは、上記ビードの周りに流れることができる、請求項１２に記載のシャワーヘッドアセンブリ。
【請求項１５】
上記ガス分配プレートを上記上部区分に結合する接着剤の同心的リングを更に備え、該同心的リングは、上記ガス分配プレートと上記上部区分との間に画成された半径方向に分離された同心的プレナムを形成する、請求項１４に記載のシャワーヘッドアセンブリ。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
ケーブル、具体的には中電圧又は高電圧ケーブル用の管状端子であって、
−少なくとも１つの端子端部を有する第１のコネクターであって、前記第１のコネクターは、少なくとも１つの嵌合式の第２のコネクターに接続するためのものであって、前記第２のコネクターは、前記第２のコネクターが前記第１のコネクターの前記少なくとも１つの端子端部に接続されたときに電気的接触をなすために、ケーブルに接続され且つ前記第１のコネクターと係合されるようになされている、第１のコネクターと、
−第１の管状部分とその第１の管状部分から延びる第２の管状部分とを有する収縮性スリーブと、を備え、
−ここで、前記収縮性スリーブの前記第１の管状部分は、前記第１のコネクターの周りで固定式で配置されており、
−ここで、前記収縮性スリーブの前記第２の管状部分は、前記第２のコネクターが前記第１のコネクターの前記少なくとも１つの端子端部に接続されるときに、嵌合式の前記第２のコネクターと前記第２のコネクターに取り付けられたケーブルとを被覆するために、前記第１のコネクターの前記少なくとも１つの端子端部を越えて延びるようになされている管状端子。
【請求項２】
前記収縮性スリーブが、低温収縮性材料を含む、請求項１に記載の管状端子。
【請求項３】
前記収縮性スリーブの前記第２の管状部分が、径方向に膨張した状態に前記第２の管状部分から取り外し可能な支持体によって保持される、請求項１に記載の管状端子。
【請求項４】
前記コアが、螺旋状に巻かれたリボンを備え、前記第１のコネクターの端子端部に近位の前記コアの軸方向端部における前記リボンが、前記第１のコネクターの前記端子端部から離れて面する前記コアの軸方向端部から前記リボンを引き裂き、それによって、巻線ごとに前記コアの残部から前記リボンを分離することによって、前記収縮性スリーブの前記第２の管状部分から取り外されるように適合されている、請求項３に記載の管状端子。
【請求項５】
少なくとも２つのコアが、前記収縮性スリーブの前記第２の管状部分内に互いに隣接して配置される、請求項３に記載の管状端子。
【請求項６】
前記少なくとも２つのコアは、異なる直径を有する、請求項５に記載の管状端子。
【請求項７】
前記収縮性スリーブが、第１の収縮性スリーブであり、そして、ここで第２の収縮性スリーブが、前記第１の収縮性スリーブの周りに配置され、前記第２の収縮性スリーブが第１の管状部分と前記第２の管状部分とを備え、そして、ここで、前記第２の収縮性スリーブの前記第１の管状部分が、前記第１の収縮性スリーブの前記第１の管状部分の周りに配置され、そして、ここで、前記第２の収縮性スリーブの前記第２の管状部分が、前記第１の収縮性スリーブの前記第２の管状部分及び前記ケーブルの外側ジャケットを被覆するために、前記第１のコネクターの前記少なくとも１つの端子端部を越えて延びるように適合されている、請求項１に記載の管状端子。
【請求項８】
第２の収縮性スリーブが、前記第１の収縮性スリーブの前記第１の管状部分及び／又はその第３の管状部分の周りで円周方向に延びるロールとして巻かれた第３の管状部分を備える、請求項１に記載の管状端子。
【請求項９】
前記収縮スリーブ、前記第１の収縮性スリーブ及び／又は、設けられた場合、前記第２の収縮性スリーブが、導電性材料の少なくとも１つの層と、前記スリーブの軸方向長さに完全に又は部分的に沿って延びる導電性又は半導電性材料の少なくとも１つの層とを有する多層収縮性スリーブをそれぞれ備える、請求項１に記載の管状端子。
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
電界効果トランジスタのゲート誘電体の製造方法であって：
（ａ）シリコン基板を準備するステップと；
（ｂ）該シリコン基板上に第一酸化物層を形成するステップと；
（ｃ）該第一酸化物層上にゲート誘電体層を形成するステップと；
（ｄ）該ゲート誘電体層上に第二酸化物層を形成するステップと；
その後、
（ｅ）該ゲート誘電体層と、該第一酸化物層と、該第一酸化物層と該シリコン基板の間の接合部とをアニールするステップと；
を順次含む、前記方法。
【請求項２】
ステップ（ｂ）からステップ（ｄ）まで単一チャンバ内で該シリコン基板を維持するステップを更に含む、請求項１に記載の方法。
【請求項３】
ステップ（ｂ）が、分離プラズマソースによって生成された酸素、一酸化窒素、又は亜酸化窒素の少なくとも一つを含むプラズマに該第一酸化物層をさらす工程を更に含む、請求項１に記載の方法。
【請求項４】
ステップ（ｂ）が、該第一酸化物層を窒化する工程を更に含む、請求項１に記載の方法。
【請求項５】
該第一酸化物層を窒化する工程が、該第一酸化物層を窒素含有プラズマにさらすことを含む、請求項４に記載の方法。
【請求項６】
ステップ（ｃ）が、窒化シリコン、酸化ハフニウム、及びケイ酸ハフニウムの少なくとも一つから該ゲート誘電体層を形成する工程を更に含む、請求項１に記載の方法。
【請求項７】
ステップ（ｃ）が、プラズマ増強プロセスにおいて該ゲート誘電体層を形成する工程を更に含む、請求項１に記載の方法。
【請求項８】
ステップ（ｄ）が、該ゲート誘電体層上に該第二酸化物層を堆積させることにより該第二酸化物層を形成する工程を更に含む、請求項１に記載の方法。
【請求項９】
ステップ（ｄ）が、低エネルギープラズマソースを用いてプラズマを形成する工程を更に含む、請求項１に記載の方法。
【請求項１０】
ステップ（ｅ）が、急速熱処理チャンバ又は炉内で該基板を熱的にアニールする工程を更に含む、請求項１に記載の方法。
【請求項１１】
ステップ（ｂ）の前に該シリコン基板から自然酸化物層を除去するステップを更に含む、請求項１に記載の方法。
【請求項１２】
電界効果トランジスタのゲート誘電体を製造するための統合半導体基板処理システムであって：
シリコン基板上に熱酸化物層を形成するように構成された第一リアクタであって、該第一リアクタが、該熱酸化物層上にゲート誘電体層を堆積させるように構成され、該ゲート誘電体層上に熱酸化物層を形成するように構成されている、前記第一リアクタと；
分離プラズマソースと；
少なくとも一つ以上のロードロックチャンバと；
該リアクタとロードロックチャンバのそれぞれに結合した少なくとも一つの基板搬送チャンバと；
該処理システムの動作を管理し監視するためのコントローラと；
を備える、前記統合半導体基板処理システム。
【請求項１３】
該分離プラズマソースが上部チャンバ本体の上に設けられる、請求項１２に記載の統合半導体基板処理システム。
【請求項１４】
上部ガスインジェクタと下部ガスインジェクタを更に備える、請求項１２に記載の統合半導体基板処理システム。
【請求項１５】
該下部ガスインジェクタが該分離プラズマソースの下に設けられ、該上部ガスインジェクタが該分離プラズマソースの上に設けられる、請求項１２に記載の統合半導体基板処理システム。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
電子データ・バックアップ・システムを管理する方法であって、
第１の遠隔記憶媒体上に記憶された電子データの第１のインベントリを受信することと、電子データは第１の遠隔記憶媒体からバックアップされる生データを含むことと、第１のインベントリは１つ以上の記述子を含んでいることと、前記１つ以上の記述子は、前記生データに基づき算出される値であってバックアップされる電子データをユニークに識別するハッシュ値を含むことと、
第１のインベントリの前記１つ以上の記述子を、バックアップ・データ記憶媒体上に記憶された電子データの第２のインベントリに関連した一連の記述子と比較することと、電子データの第２のインベントリは、第１の遠隔記憶媒体と異なる複数の記憶媒体からの電子データを含んでいることと、
第１のインベントリの前記１つ以上の記述子からの第１の記述子が、第２のインベントリに関連した一連の記述子からの第２の記述子と実質的に一致することを判断することと、
第１の記述子に関連した電子データが前記バックアップ・データ記憶媒体に既に記憶されていることを第１の遠隔記憶媒体に報知することとを含む方法。
【請求項２】
第１のインベントリの前記１つ以上の記述子は、第１の遠隔記憶媒体上にあるファイルおよびデータ構造のうちの１つ以上を実質的にユニークに識別する請求項１記載の方法。
【請求項３】
前記バックアップ・データ記憶媒体へ送信される一連の電子データから第１の記述子に関連した電子データを削除することと、第１の遠隔記憶媒体から前記バックアップ・データ記憶媒体に電子データを送信することとをさらに含み、該送信される電子データは第１の記述子に関連した電子データを除いた第１のインベントリからの電子データを含んでいる請求項１記載の方法。
【請求項４】
前記バックアップ・データ記憶媒体上に記憶され、第２の記述子に関連した電子データは、第１の遠隔記憶媒体と異なる第２の遠隔記憶媒体のバックアップ動作中に前記バックアップ・データ記憶媒体上に元々記憶されていたデータを含んでおり、第１のユーザは第１の遠隔記憶媒体に関連し、別の第２のユーザは第２の遠隔記憶媒体に関連している請求項１記載の方法。
【請求項５】
第２の記述子に関連した電子データの単一のコピーは、複数の異なるデータ記憶媒体による使用のために前記バックアップ・データ記憶媒体上に維持され、第２の記述子に関連した電子データへのアクセスは、前記バックアップ・データ記憶媒体に第１の記述子を提供するデータ記憶媒体に限られる請求項１記載の方法。
【請求項６】
第１の記述子および第２の記述子は、共通の記述子生成アルゴリズムと、該共通の記述子生成アルゴリズムへの共通の入力とを使用して生成され、該共通の入力は、前記生データおよびメタデータの両方を含んでいる請求項１記載の方法。
【請求項７】
第１の記述子に関連した電子データは、バイト単位で測定される長さを有する電子ファイルまたはデータ構造のうちの１つ以上を含んでいる請求項６記載の方法。
【請求項８】
第１の記述子は２バイト以上の長さを含み、前記記述子生成アルゴリズムは、暗号アルゴリズムおよび非暗号アルゴリズムのうちの１つ以上を含んでいる請求項６記載の方法。
【請求項９】
第３の遠隔記憶媒体から要求を受信して復元動作を行なうことと、
第３の遠隔記憶媒体用のバックアップのインベントリを参照することと、第３の遠隔記憶媒体用のバックアップのインベントリは、前記要求を受信して復元動作を行なう前の時点で第３の遠隔記憶媒体上にあった電子データに関連した一連の記述子を含んでいることと、
第３の遠隔記憶媒体に関連した前記一連の記述子中の記述子と一致する記述子を有する選択された電子データを前記バックアップ・データ記憶媒体から取り出すことと、
第３の遠隔記憶媒体へ前記選択された電子データを提供することと、
第３の遠隔記憶媒体から第２のインベントリを受信することと、第３の遠隔記憶媒体用の第２のインベントリは、第３の遠隔記憶媒体上に現在ある電子データに関連した一連の記述子を含んでいることと、
第３の遠隔記憶媒体へ前記選択された電子データを提供する前に、前記選択された電子データから第３の遠隔記憶媒体上に現在ある電子データを削除することとをさらに含む請求項１記載の方法。
【請求項１０】
前記選択された電子データからの１つ以上の電子ファイルは、第３の遠隔記憶媒体以外の遠隔記憶媒体によって前記バックアップ・データ記憶媒体に元々アップロードされていたものである請求項９記載の方法。
【請求項１１】
請求項１記載の方法を実施するためのプロセッサ実行可能命令を含んだコンピュータ可読媒体。
【請求項１２】
電子データ・バックアップ・システムであって、
複数の遠隔記憶媒体用の第１組の電子データを記憶する手段と、そのうち同複数の遠隔記憶媒体のうちの２つ以上は異なるユーザに関連していることと、
第２組の電子データをバックアップする要求を第１の遠隔記憶媒体から受信する手段と、
第１組の電子データおよび第２組の電子データの両方において少なくとも第１の電子ファイルの記述子を比較することによって、同少なくとも第１の電子ファイルが第１組の電子データおよび第２組の電子データ中にあることを判断する手段と、第１の電子ファイルは生データを含むことと、前記記述子は第１の電子ファイルの前記生データに基づき算出されるハッシュ値を含むことと、前記記述子は前記生データをユニークに識別することと、
前記少なくとも第１の電子ファイルが第１組の電子データ中に既に存在することを第１
の遠隔記憶媒体に報知する手段と、
前記少なくとも第１の電子ファイルを除いた第２組の電子データに関連した電子ファイルを第１の遠隔記憶媒体から第１組の電子データを記憶する手段へ転送する手段と、
前記少なくとも第１の電子ファイルを除いた第２組の電子データに関連した電子ファイルを第１組の電子データを記憶する手段に追加する手段とを備えるシステム。
【請求項１３】
前記少なくとも第１の電子ファイルは、第１の遠隔記憶媒体と異なる第２の遠隔記憶媒体によって、第１組の電子データを記憶する手段へ転送されている請求項１２記載のシステム。
【請求項１４】
前記複数の遠隔記憶媒体の一部が第２組の電子データに関連した電子ファイルにアクセスを行うことを可能とする手段をさらに備え、前記複数の遠隔記憶媒体の一部はアクセスを獲得する前に第２組の電子データに関連した電子ファイルに対する記述子を提供する請求項１２記載のシステム。
【請求項１５】
第２組の電子データに関連した電子ファイルに対する記述子は、前記電子ファイルを実質的にユニークに識別する請求項１４記載のシステム。
【請求項１６】
前記記述子は、前記電子ファイルからのデータおよびメタデータのうちの少なくとも１つを入力として利用する所定の記述子生成アルゴリズムを使用して生成された英数字の文字列を含んでいる請求項１４記載のシステム。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
外科システムであって、
少なくとも１つのレセプタクルを含む、患者の体内に埋込み可能な受け部材と、
ハンドル部材と、前記ハンドル部材に係合され長手方向軸に沿って前記ハンドル部材から遠位側に延び、前記ハンドル部材を用いて回転可能である駆動シャフトと、前記ハンドル部材に結合され、前記駆動シャフトの周りを長手方向に延びるハウジング部材とを含む器具であって、前記ハンドル部材が該ハウジング部材に対して回転可能である、器具と、
前記駆動シャフトに沿って位置決めされ、前記駆動シャフトに沿って前記駆動シャフトの遠位端に向って移動可能である複数のインプラントであって、前記インプラントのうちの少なくとも１つが、前記ハンドル部材および前記駆動シャフトが前記ハウジング部材に対して回転されて前記駆動シャフトの遠位端から前記ハウジング部材の遠位端の開口部を経て送達されるとき、前記受け部材の前記レセプタクル内に係合可能である、インプラントと、
を備える、外科システム。
【請求項２】
前記受け部材は患者の脊柱に係合可能であり、前記インプラントは、前記少なくとも１つのレセプタクル内にねじ込み式に係合可能な雄ねじ型の止めねじである、請求項１に記載のシステム。
【請求項３】
前記ハウジング部材は、前記遠位端の開口部に隣接する雌ねじ部分を含み、前記止めねじは、前記駆動シャフトの前記遠位端からの送達のために、前記ハウジング部材の前記雌ねじ部分をねじ込み式に通過する、請求項２に記載のシステム。
【請求項４】
前記ハンドル部材の遠位端と前記ハウジング部材の近位端との間に結合された取り付け部材をさらに含み、前記ハンドル部材および前記駆動シャフトは前記取り付け部材に対して回転可能である、請求項１に記載のシステム。
【請求項５】
前記駆動シャフトは、前記駆動シャフトから径方向に外側に延びる鍔部を含み、前記取り付け部材の前記遠位端が、前記鍔部と当接係合する、請求項４に記載のシステム。
【請求項６】
前記駆動シャフトは、
前記鍔部から遠位側に延びるインプラント係合部分と、
前記鍔部から近位側に延びるハンドル係合部分であって、前記取り付け部材を通って延び、前記ハンドル部材に結合されるハンドル係合部分と、
を含む、請求項５に記載のシステム。
【請求項７】
前記鍔部から、前記駆動シャフトの前記インプラント係合部分の周りに摺動可能に受けられる摺動部材まで遠位側に延びる圧縮可能な付勢部材をさらに備え、
前記摺動部材は、前記複数のインプラントのうちの最も近位の１つと接触し、
前記付勢部材および前記摺動部材は、前記複数のインプラントを前記駆動シャフトに沿って遠位側に付勢する、請求項６に記載のシステム。
【請求項８】
前記ハウジング部材が、前記ハウジング部材の遠位端壁から遠位側に延びるフランジを含み、  前
記フランジが、前記レセプタクルに隣接する前記受け部材と接触して位置決め可能である、請求項１に記載のシステム。
【請求項９】
外科システムであって、
ハンドル部材と、前記ハンドル部材に係合され長手方向軸に沿って前記ハンドル部材から遠位側に延びる駆動シャフトと、前記ハンドル部材に結合され、前記駆動シャフトの周りを長手方向に延びるハウジング部材とを含み、前記駆動シャフトが前記ハンドル部材を用いて前記ハウジング部材に対して回転可能であり、前記ハウジング部材が該ハウジング部材の遠位端の開口部に隣接する雌ねじ部分を含む、器具と、
前記ハウジング部材内で、前記駆動シャフトに沿って該駆動シャフトの周りに位置決めされ、前記駆動シャフトに沿って該駆動シャフトの遠位端に向って移動可能である複数のインプラントであって、それぞれのインプラントが前記ハンドル部材を用いた前記駆動シャフトの回転によって前記ハウジング部材の前記雌ねじ部分に沿ってねじ込み式に前進されて前記雄ねじ部分と位置合わせされたとき、前記ハウジング部材の前記雌ねじ部分に係合可能である雄ねじ部分を含む、複数のインプラントと、
を備える、外科システム。
【請求項１０】
患者の体内に埋込み可能な受け部材をさらに備え、
前記受け部材が、前記複数のインプラントのうちの少なくとも１つを中に受け入れるための少なくとも１つのねじ込み式レセプタクルを含む、請求項９に記載のシステム。
【請求項１１】
複数のインプラントを埋込み位置に送達するための外科器具であって、
近位のハンドル部材と、
前記ハンドル部材に係合され、長手方向軸に沿って前記ハンドル部材から遠位側に延び、前記ハンドル部材の回転によって回転可能であり、駆動シャフトに沿って軸方向に複数のインプラントを受け入れるように寸法決めされ、成形される駆動シャフトと、
前記ハンドル部材に結合され、前記駆動シャフトの周りを長手方向に延び、遠位端の開口部と前記遠位端の開口部に隣接する雌ねじとを含むハウジング部材であって、前記雌ねじは前記複数のインプラントのうちの隣接する１つにねじ込み式に係合可能であり、前記ハンドル部材および前記駆動シャフトはハウジング部材に対して回転可能であり、前記ハンドル部材の回転が、前記駆動シャフトを回転させて、前記遠位端の開口部を介しての送達のために前記隣接するインプラントを前記雌ねじに沿ってねじ込み式に前進させる、ハウジング部材と、
を備える、外科器具。
【請求項１２】
前記ハウジング部材は、内部穴と、前記駆動シャフトに沿って前記穴と連通して前記ハウジング部材を通って延びる細長い窓とを含む、請求項１１に記載の器具。
【請求項１３】
前記ハンドル部材の遠位端と前記ハウジング部材の近位端の間に結合された取り付け部材をさらに備え、
前記ハンドル部材および前記駆動シャフトは、前記取り付け部材に対して回転可能である、請求項ｌ１に記載の器具。
【請求項１４】
前記駆動シャフトは前記駆動シャフトから径方向に外側に延びる鍔部を含み、前記取り付け部材の遠位端が前記鍔部と当接係合する、請求項１３に記載の器具。
【請求項１５】
前記駆動シャフトは、
前記鍔部から遠位側に延びるインプラント係合部分と、
前記鍔部から近位側に延びるハンドル係合部分であって、前記取り付け部材を通って延び、前記ハンドル部材に結合されるハンドル係合部分と、
を含む、請求項１４に記載の器具。
【請求項１６】
前記鍔部から、前記駆動シャフトの前記インプラント係合部分の周りに摺動可能に受けられる摺動部材まで遠位側に延びる圧縮可能な付勢部材をさらに備え、
前記摺動部材が、前記複数のインプラントのうちの最も近位の１つと接触し、前記付勢部材および前記摺動部材が、前記複数のインプラントを前記駆動シャフトに沿って遠位側に付勢する、請求項１５に記載の器具。
【手続補正書】
【提出日】平成22年4月13日(2010.4.13)
【手続補正１】
【補正対象書類名】特許請求の範囲
【補正対象項目名】請求項２
【補正方法】変更
【補正の内容】
【請求項２】
駆動トルクを少なくとも二つの出力軸（Ａｂ１、Ａｂ２）に分配するための変速機装置であって、
ディファレンシャル（２）を備えており、
前記ディファレンシャル（２）は、出力軸（Ａｂ１、Ａｂ２）に恒久的に接続されており、
ディファレンシャル（２）のディファレンシャルケージ（３）とパワーフロー方向に見て一方側の出力（Ａｂ２）との間に、第１のプラス遊星ギヤセット（１３）と第２のプラス遊星ギヤセット（２３）とが、当該出力（Ａｂ２）と同軸に直列に設けられており、
前記第１の遊星ギヤセット（１３）は、
第１太陽歯車（１４）と、
第２太陽歯車（１５）と、
第１遊星グループギヤ（１６）と、
第２遊星グループギヤ（１７）と、
を有しており、
前記第２の遊星ギヤセット（２３）は、
第１太陽歯車（２４）と、
第２太陽歯車（２５）と、
第１遊星グループギヤ（２６）と、
第２遊星グループギヤ（２７）と、
を有しており、
前記第１の遊星ギヤセット（１３）の第１太陽歯車（１４）は、前記ディファレンシャルケージ（３）に接続されており、
前記第１の遊星ギヤセット（１３）の第２太陽歯車（１５）は、前記第２の遊星ギヤセット（２３）の第１太陽歯車（２４）に接続されており、
前記第２の遊星ギヤセット（２３）の第２太陽歯車（２５）は、前記出力（Ａｂ２）に接続されており、
前記第２の遊星ギヤセット（２３）のリブ（２８）は、当該変速機装置（１）の動作のために、ブレーキ（２９）によってハウジング（Ｇ）に制御されつつ減速可能ないし結合可能であり、
前記第１の遊星ギヤセット（１３）のリブ（１８）は、ギヤ比反転（Uebersetzungsumkehr）を実現するために、ハウジング（Ｇ）に結合可能である
ことを特徴とする変速機装置。
【手続補正２】
【補正対象書類名】特許請求の範囲
【補正対象項目名】請求項３
【補正方法】変更
【補正の内容】
【請求項３】
前記第１の遊星ギヤセット（１３）のリブ（１８）は、ギヤ比反転（Uebersetzungsumkehr）を実現するために、ドグクラッチ（１９）を介して、ハウジング（Ｇ）に結合可能である
ことを特徴とする請求項２に記載の、駆動トルクを少なくとも二つの出力軸（Ａｂ１、Ａｂ２）に分配するための変速機装置。
【手続補正３】
【補正対象書類名】特許請求の範囲
【補正対象項目名】請求項４
【補正方法】変更
【補正の内容】
【請求項４】
前記第１の遊星ギヤセット（１３）のステーショナリギヤ比ｉ＿２は、前記第２の遊星ギヤセット（２３）のステーショナリギヤ比ｉ＿１の２乗に等しい
ことを特徴とする請求項２に記載の、駆動トルクを少なくとも二つの出力軸（Ａｂ１、Ａｂ２）に分配するための変速機装置。
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
外因ポリヌクレオチドを含むトランスジェニック植物であって、該ポリヌクレオチドは少なくとも１つのポリペプチドをコードし、該ポリペプチドは、以下：
ｉ）アミン含有除草剤を開裂させ、かつ、
ａ）配列番号１に提供されるアミノ酸配列；および
ｂ）ａ）と少なくとも２５％同一であるアミノ酸配列
から選択される配列を含む、
ｉｉ）グリホサートを開裂させてグリシンを生産する、
ｉｉｉ）グリホサートのホスホノメチルＣ−３炭素と窒素の結合を開裂させる、
ｉｖ）ＧＯＸ（配列番号３）より大きいグリホサートを開裂させる効率を有する、および／または
ｖ）５５０μｍｏｌ分-1ｍｇ-1より大きい、グリホサートの開裂についての比活性を有する、
の特徴のうちの１つ以上を有する、前記トランスジェニック植物。
【請求項２】
以下：
ｉ）アミン含有除草剤を開裂させ、かつ、
ａ）配列番号１に提供されるアミノ酸配列；および
ｂ）ａ）と少なくとも２５％同一であるアミノ酸配列
から選択される配列を含む、
ｉｉ）グリホサートを開裂させてグリシンを生産する、
ｉｉｉ）グリホサートのホスホノメチルＣ−３炭素と窒素の結合を開裂させる、
ｉｖ）ＧＯＸ（配列番号３）より大きいグリホサートを開裂させる効率を有する、および／または
ｖ）５５０μｍｏｌ分-1ｍｇ-1より大きい、グリホサートの開裂についての比活性を有する、
の特徴のうちの１つ以上を有する、
実質的に精製されたポリペプチド。
【請求項３】
少なくとも１つの他のポリペプチドに融合している、請求項２に記載のポリペプチド。
【請求項４】
ｉ）配列番号２、
ｉｉ）請求項２または３に記載のポリペプチドをコードするヌクレオチドの配列、
ｉｉｉ）ｉ）と少なくとも２５％同一であるヌクレオチドの配列、
ｉｖ）低ストリンジェンシー条件下でｉ）にハイブリダイズするヌクレオチドの配列、
ｖ）ｉ）からｉｖ）に相補的なヌクレオチドの配列
から選択される配列を有するヌクレオチドを含む、単離されたポリヌクレオチド。
【請求項５】
植物細胞において機能する３’ポリアデニル化配列に作動可能に連結されている、請求項２または３に記載のポリペプチドをコードする構造ＤＮＡ配列に作動可能に連結されている、前記細胞において機能するプロモーターを含む、組換えポリヌクレオチドであって、前記プロモーターは、前記構造ＤＮＡ配列に対して異種であり、前記構造ＤＮＡ配列を発現して前記細胞のアミン含有除草剤に対する耐性を強化することができる組換えポリヌクレオチド。
【請求項６】
請求項４または５に記載のポリヌクレオチドを含むベクター。
【請求項７】
請求項４または５に記載の少なくとも一種のポリヌクレオチドを含む宿主細胞。
【請求項８】
グリホサートを開裂させ、グリシンを生産する、および／またはグリホサートのホスホノメチルＣ−３炭素と窒素の結合を開裂させる導入ポリペプチドを含む組換え細胞。
【請求項９】
請求項２または３に記載のポリペプチドを調製するためのプロセスであって、前記ポリペプチドをコードするポリヌクレオチドの発現を可能にする条件下で、前記ポリペプチドをコードする宿主細胞、または前記ポリペプチドをコードするベクターを培養する工程、および発現されたポリペプチドを回収する工程を含む、前記プロセス。
【請求項１０】
請求項２に記載のポリペプチドに特異的に結合する、単離された抗体。
【請求項１１】
請求項２または３に記載の少なくとも１種のポリペプチド、前記ポリペプチドをコードする少なくとも１種のポリヌクレオチド、前記ポリヌクレオチドを含むベクター、前記ポリペプチドを産生する宿主細胞および／もしくは組換え細胞、ならびに／または前記ポリペプチドに結合する抗体と、１つまたはそれ以上の許容される担体とを含む組成物。
【請求項１２】
組換え細胞を検出および／または選択するための選択可能マーカーとしての、請求項２もしくは３に記載のポリペプチド、または前記ポリペプチドをコードするポリヌクレオチドの使用。
【請求項１３】
組換え細胞を検出するための方法であって、
ｉ）細胞または細胞集団と、請求項２または３に記載のポリペプチドをコードするポリヌクレオチドとを、前記細胞による前記ポリヌクレオチドの取り込みを可能にする条件下で接触させる工程、および
ｉｉ）工程ｉ）からの細胞またはそれらの子孫細胞をアミン含有除草剤に曝露することによって組換え細胞を選択する工程、
を含む、前記方法。
【請求項１４】
請求項２または３に記載の少なくとも一種のポリペプチドをコードする外因ポリヌクレオチドを含む、トランスジェニック非ヒト動物。
【請求項１５】
オーストラリアの国家計量研究所（Ｎａｔｉｏｎａｌ  Ｍｅａｓｕｒｅｍｅｎｔ  Ｉｎｓｔｉｔｕｔｅ）に２００６年４月１１日にアクセッション番号Ｖ０６／０１０９６０で寄託されたアルスロバクター属種の分離株。
【請求項１６】
請求項２または３に記載のポリペプチドを含む、宿主細胞、組換え細胞、トランスジェニック植物、トランスジェニック非ヒト動物またはアルスロバクター属種の分離株の抽出物。
【請求項１７】
請求項１５に記載の株および／または請求項１６に記載の抽出物と、１つまたはそれ以上の許容される担体とを含む、アミン含有除草剤を開裂させるための組成物。
【請求項１８】
請求項２に記載のポリペプチドを生産する、単離された細菌。
【請求項１９】
アミン含有除草剤を開裂させるための、請求項２に記載のポリペプチドを生産する単離された天然に存在する細菌の使用。
【請求項２０】
ポリマー多孔質支持体上に固定された請求項２または３に記載のポリペプチドを含む、アミン含有除草剤を開裂させるためのポリマースポンジまたはフォーム。
【請求項２１】
アミン含有除草剤を開裂させるための方法であって、アミン含有除草剤と、請求項２もしくは３に記載のポリペプチド、請求項１５に記載の株、請求項１６に記載の抽出物、および／または請求項２０に記載のスポンジもしくはフォームを接触させる工程を含む、前記方法。
【請求項２２】
サンプル中のアミン含有除草剤を開裂させるための方法であって、請求項１に記載のトランスジェニック植物にサンプルを曝露する工程を含む、前記方法。
【請求項２３】
請求項２または３に記載のポリペプチドを含むトランスジェニック植物の部分。
【請求項２４】
アミン含有除草剤を開裂させる能力が強化されたポリペプチドを生産する方法であって、
（ｉ）請求項２または３に記載の第一のポリペプチドの１つまたはそれ以上のアミノ酸を変更する工程、
（ｉｉ）工程（ｉ）から得られた変更ポリペプチドの、アミン含有除草剤を開裂させる能力を判定する工程、および
（ｉｉｉ）第一のポリペプチドと比較してアミン含有除草剤を開裂させる能力が強化されている変更ポリペプチドを選択する工程
を含む、前記方法。
【請求項２５】
アミン含有除草剤を開裂させることができる微生物についてスクリーニングするための方法であって、
ｉ）唯一の窒素源としてのアミン含有除草剤の存在下で候補微生物を培養する工程；および
ｉｉ）その微生物が増殖および／または分裂できるかどうかを判定する工程
を含む、前記方法。
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
生物学的サンプル中にＳＰＡＲＣタンパク質又はＳＰＡＲＣ  ＲＮＡが存在するかどうかの判定に基づいて投与されることを特徴とする化学療法剤又は他の抗癌剤。
【請求項２】
さらに、Ｈｅｒ２タンパク質又はＨｅｒ２ＲＮＡが存在するかどうかの判定に基づいて投与される、請求項１記載の剤。
【請求項３】
ドセタキセル、パクリタキセル、タキサン、白金化合物、抗葉酸剤、代謝拮抗剤、抗有糸分裂薬、ＤＮＡ損傷剤、アポトーシス促進剤、分化誘導剤、血管新生阻害剤、抗生物質、ホルモン、ペプチド、抗体、及びそれらの組み合わせからなる群より選ばれる、請求項１又は２に記載の剤。
【請求項４】
タンパク質−結合剤の粒子を含む、請求項１−３のいずれか１項に記載の剤。
【請求項５】
タンパク質−結合剤粒子のタンパク質成分がアルブミンを含む、請求項４記載の剤。
【請求項６】
アルブミン−結合パクリタキセルの粒子を含む、請求項１−３のいずれか１項に記載の剤。
【請求項７】
５０％がナノ粒子の形態である、請求項６記載の剤。
【請求項８】
パクリタキセル用量が約３０ｍｇ／ｍ２から約１０００ｍｇ／ｍ２で、約３週間の投与サイクルで投与される、請求項７記載の剤。
【請求項９】
乳房、卵巣、頭頸部、結腸、前立腺、膀胱又は腎臓の癌腫用である、請求項１記載の剤。
【請求項１０】
乳房、卵巣、頭頸部、結腸、前立腺、膀胱又は腎臓の癌腫用である、請求項７記載の剤。
【請求項１１】
化学療法剤又は他の抗癌剤に対する哺乳動物の腫瘍の応答を予測するためのキットであって、該腫瘍からのタンパク質の単離手段、ＳＰＡＲＣタンパク質の検出及び定量化手段、コントロールタンパク質、並びに該腫瘍の応答を予測するためのルールを含む、キット。
【請求項１２】
該腫瘍のＨｅｒ２状態を判定する手段をさらに含む、請求項１１記載のキット。
【請求項１３】
化学療法剤がアルブミン−結合剤の粒子を含み、５０％を超える化学療法剤がナノ粒子の形態である、請求項１１記載のキット。
【請求項１４】
アルブミン−結合剤がアルブミン−結合パクリタキセルである、請求項１３記載のキット。
【請求項１５】
化学療法剤又は他の抗癌剤に対する哺乳動物の腫瘍の応答を予測するためのキットであって、該腫瘍からのＲＮＡの単離手段、ＳＰＡＲＣ  ＲＮＡの検出及び定量化手段、コントロールＲＮＡ、並びに腫瘍中のＳＰＡＲＣ  ＲＮＡレベルに基づいて該腫瘍の応答を予測するためのルールを含む、キット。
【請求項１６】
該腫瘍のＨｅｒ２状態を判定する手段をさらに含む、請求項１５記載のキット。
【請求項１７】
化学療法剤がアルブミン−結合剤の粒子を含み、５０％を超える化学療法剤がナノ粒子の形態である、請求項１５記載のキット。
【請求項１８】
アルブミン−結合剤がアルブミン−結合パクリタキセルである、請求項１７記載のキット。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
光学的に有効な表面レリーフ微細構造を有する少なくとも一つの表面区域を有する要素を製造する方法であって、
異なる透明度の第一及び第二のゾーンの異方性の微細構造を有し、マスクの第一の横方向において、第一のゾーンから第二のゾーンまで又はその逆に各２０マイクロメートル以内に平均で少なくとも一つの移行部があり、第一の横方向に対して垂直であるマスクの第二の横方向において、第一のゾーンから第二のゾーンまで又はその逆に各２００マイクロメートル以内に平均で少なくとも一つの移行部があり、第一の横方向において移行部の横方向配設が非周期性であるマスクを創製すること、
マスクを用いて、樹脂又はレジスト（４９、５５、６０、６６）の表面にレリーフ微細構造を生成して、マスクの第一のゾーンに対応する上部領域（１３）及びマスクの第二のゾーンに対応する下部領域（１４）を製造し、レリーフ変調深さが表面区域全体で実質的に等しくなるよう、上部領域（１３）が上部レリーフ平坦域（１５、５１）に実質的に位置し、下部領域（１４）が下部レリーフ平坦域（１６、５２）に実質的に位置するようにすること
を含む方法。
【請求項２】
マスクの異なる透明度の第一及び第二のゾーンの微細構造が、
トポロジー的に構造化された波形面構造を有する膜（４３）をマスク材料の層（４２）に被着させ、
波形面の下ゾーンの膜の材料が除去され、下にあるマスク材料の一部（４４）が露呈するまで膜（４３）の厚さを減らし、
マスクの露呈された一部（４４）を除去する
ことによって創製される、請求項１記載の方法。
【請求項３】
トポロジー的に構造化された波形面構造が、少なくとも一つが架橋性であり、少なくとも他の一つが非架橋性である少なくとも二つの材料の混合物を製造し、その混合物をマスク材料の層に塗布し、架橋性材料の少なくとも実質的な部分を架橋させ、非架橋性材料の少なくとも実質的な部分を除去することによって製造される、請求項２記載の方法。
【請求項４】
請求項１〜３のいずれか記載の方法によって得られる要素。
【請求項５】
光学的に有効な表面レリーフ微細構造（１２）を有する少なくとも一つの表面区域を有する要素であって、
表面レリーフ微細構造が上部領域（１３）から下部領域（１４）まで及び下部領域（１４）から上部領域（１３）までの移行部の表面変調を有し、
少なくとも表面区域の第一の横方向において、上部領域（１３）から下部領域（１４）まで又はその逆に各２０マイクロメートル以内に少なくとも一つの移行部があり、第一の方向に対して垂直である前記表面区域の第二の横方向において、上部領域から下部領域まで又はその逆に各２００マイクロメートル以内に平均で少なくとも一つの移行部があることを特徴とし、
（ｉ）少なくとも第一の横方向において移行部の横方向配設が非周期性であり、
（ii）レリーフ変調深さが表面区域全体で実質的に等しくなるよう、上部領域（１３）が上部レリーフ平坦域（１５、５１）に実質的に位置し、下部領域が下部レリーフ平坦域（１６、５２）に実質的に位置し、
（iii）表面レリーフ微細構造が異方性であることを特徴とする要素。
【請求項６】
１．１よりも大きく５０よりも小さい表面レリーフアスペクト比を有することを特徴とする、請求項５記載の要素。
【請求項７】
少なくとも異方性軸に対して垂直の方向である表面レリーフ微細構造が、自己相関距離（Ｌ）内でｘ＝０におけるＡＣの１０％まで減衰する包絡線（３１）を有する平均化一次元自己相関関数ＡＣ（ｘ）を有し、自己相関距離（Ｌ）が、上部領域（１３）及び下部領域（１４）の隣接する移行部どうしの間の平均横方向距離の２倍よりも小さいことを特徴とする、請求項４〜６のいずれか１項記載の要素。
【請求項８】
表面レリーフ充填ファクタを有し、表面レリーフ充填ファクタが、０．２〜０．８の範囲にあることを特徴とする、請求項４〜７のいずれか１項記載の要素。
【請求項９】
表面レリーフ微細構造の高さヒストグラムが第一及び第二の顕著なピークを有して、メリット関数
【数１】
2009536883.tif 000001
（式中、△ｘ1は、全ピーク高さの高さ１／ｅのところで計測した第一のピークの幅であり、△ｘ2は、全ピーク高さの高さ１／ｅのところで計測した第二のピークの幅であり、ｄは二つのピークの距離である）
を規定することができ、メリット関数Ｍが２よりも大きいことを特徴とする、請求項４〜８のいずれか１項記載の要素。
【請求項１０】
光学的に有効な表面レリーフ微細構造を有する複数の表面区域のパターンを有する、請求項４〜９のいずれか１項記載の要素。
【請求項１１】
パターンが、異なる異方性方向延伸を有する異方性表面レリーフ微細構造を有する表面区域の少なくとも二つのタイプを含むことを特徴とする、請求項１０記載の要素。
【請求項１２】
パターンが、異なる光学変調深さを有する表面レリーフ微細構造を有する少なくとも二つのタイプの表面区域を含むことを特徴とする、請求項１０記載の要素。
【請求項１３】
金属層が表面レリーフ微細構造の上に被着されることを特徴とする、請求項４〜１２のいずれか１項記載の要素。
【請求項１４】
請求項４〜１３のいずれか１項記載の要素をマスタとして用いて、表面レリーフ微細構造を製造するための方法。
【請求項１５】
請求項１４記載の方法を用いて得られる、表面レリーフ微細構造を含む要素。
【請求項１６】
請求項４〜１３のいずれか１項又は請求項１５記載の光学的に有効な表面レリーフ微細構造を有する少なくとも一つの表面区域を有する要素を含む安全保障装置。
【請求項１７】
請求項４〜１３のいずれか１項又は請求項１５記載の要素を担持する物品であって、銀行券、パスポート、免許証、株券及び債券、クーポン、小切手、クレジットカード、証明書、チケットから選択され、安全保障装置が、タグ、安全保障ストリップ、ラベル、繊維、糸、積層体又はパッチの形態をとることができる物品。
【請求項１８】
請求項５〜１３のいずれか記載の要素を製造するための、請求項１〜３のいずれか１項記載の方法。
【請求項１９】
安全保障装置が、ブランド又は製品保護装置として塗布される又はそれらに組み込まれ、安全保障装置が、タグ、安全保障ストリップ、ラベル、繊維、糸、積層体又はパッチの形態をとることができる、請求項１６記載の安全保障装置の使用。
【請求項２０】
請求項４〜１３のいずれか１項又は請求項１５記載の要素の、装飾用途のための使用。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
哺乳動物における結腸直腸癌の存在を診断するためのキットであって、該哺乳動物の被験結腸直腸試料においてコントロール試料に対してＦＧＦＲ２遺伝子が増幅されているかどうかを検出するための手段を含み、ＦＧＦＲ２遺伝子の増幅が該哺乳動物における結腸直腸癌の存在を示すキット。
【請求項２】
ＦＧＦＲ２遺伝子が増幅されているかどうかの決定が、ＦＧＦＲ２遺伝子のコピー数が少なくとも５倍増加しているかどうかを検出することを含む請求項１に記載のキット。
【請求項３】
ＦＧＦＲ２遺伝子の増幅を伴う結腸直腸癌を治療するための薬剤であって、ＦＧＦＲ２アンタゴニストを含む薬学的製剤の有効量を含む薬剤。
【請求項４】
ＦＧＦＲ２アンタゴニストが抗ＦＧＦＲ２抗体である請求項３に記載の薬剤。
【請求項５】
抗ＦＧＦＲ２抗体がＦＧＦＲ２の細胞外ドメインに結合する請求項４に記載の薬剤。
【請求項６】
抗ＦＧＦＲ２抗体が抗体断片である請求項４に記載の薬剤。
【請求項７】
抗ＦＧＦＲ２抗体がキメラ又はヒト化抗体である請求項４に記載の薬剤。
【請求項８】
抗ＦＧＦＲ２抗体がヒト抗体である請求項４に記載の薬剤。
【請求項９】
ＦＧＦＲ２アンタゴニストが、ＦＧＦＲ２に結合する有機分子である請求項３に記載の薬剤。
【請求項１０】
ＦＧＦＲ２アンタゴニストが、ＦＧＦＲ２に結合するオリゴペプチドである請求項３に記載の薬剤。
【請求項１１】
ＦＧＦＲ２アンタゴニストがＦＧＦＲ２の可溶型である請求項３に記載の薬剤。
【請求項１２】
ＦＧＦＲ２アンタゴニストが、ＦＧＦＲ２をコードする核酸に結合しその発現を減少させる１０−３０ヌクレオチド長のアンチセンス核酸である請求項３に記載の薬剤。
【請求項１３】
ＦＧＦＲ２遺伝子の増幅を伴う結腸直腸癌を治療するための薬剤であって、（ａ）細胞障害性抗ＦＧＦＲ２抗体又は（ｂ）抗ＦＧＦＲ２抗体と細胞障害剤を含んでなる免疫複合体を含む薬学的製剤の有効量を含む薬剤。
【請求項１４】
細胞障害性抗ＦＧＦＲ２抗体を含む薬学的製剤の有効量を含む請求項１３に記載の薬剤。
【請求項１５】
抗ＦＧＦＲ２抗体と細胞障害剤を含んでなる免疫複合体を含む薬学的製剤の有効量を含む請求項１３に記載の薬剤。
【請求項１６】
細胞障害剤がメイタンシノイド又はオーリスタチンである請求項１５に記載の薬剤。
【請求項１７】
結腸直腸癌の個体がＦＧＦＲ２又はＦＧＦＲ２遺伝子を標的とする治療剤に応答するかどうかを決定するためのキットであって、ＦＧＦＲ２遺伝子が結腸直腸癌において増幅されているかどうかを決定するための手段を含み、ＦＧＦＲ２遺伝子の増幅が、個体が治療剤に応答することを示すキット。
【請求項１８】
治療剤が（ａ）ＦＧＦＲ２抗体、（ｂ）細胞障害性抗ＦＧＦＲ２抗体、又は（ｃ）抗ＦＧＦＲ２抗体と細胞障害剤を含んでなる免疫複合体である請求項１７に記載のキット。
【請求項１９】
哺乳動物において結腸直腸癌の存在を検出するためのインビトロでの方法であって、該哺乳動物の被験結腸直腸試料においてコントロール試料に対してＦＧＦＲ２遺伝子が増幅されているかどうかを検出するための手段を含み、ＦＧＦＲ２遺伝子の増幅が該哺乳動物における結腸直腸癌の存在を示す方法。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
少なくとも１つのサポニン含有抽出物を含む保存剤組成物であって、前記保存剤組成物が、飲料又は食物中のカビ、酵母及び細菌から選択される少なくとも１つの微生物の微生物安定性を達成する組成物。
【請求項２】
さらに、少なくとも１つの付加保存剤を含む、請求項１に記載の組成物。
【請求項３】
前記少なくとも１つの付加保存剤が、弱酸及びその塩、ヘキサメタ燐酸ナトリウム、エチレンジアミン四酢酸、遊離脂肪酸類、エステル類及びその誘導体、ペプチド類、ラウリン酸アルギネート、培養ブドウ糖、ニーム油、オイゲノール、ｐ−シメン、チモール、カルバクロール、リナロール、ヒドロキシ桂皮酸、桂皮酸、桂皮アルデヒド、ナタマイシン、チャノキ油、フィンガルート抽出物、アカイ粉末、４−ヒドロキシベンゾイルイソチオシアネート及び／又は白ガラシシード精油、フェルラ酸、及びこれらの混合物から選択される、請求項２に記載の組成物。
【請求項４】
前記保存剤組成物が、飲料又は食物中で長期微生物安定性を達成する、請求項１〜３いずれか１項に記載の組成物。
【請求項５】
前記保存剤組成物が、飲料又は食物中で微生物の減少を達成する、請求項１〜３いずれか１項に記載の組成物。
【請求項６】
前記保存剤組成物が、飲料又は食物中で向上した微生物の減少を達成する、請求項１〜３いずれか１項に記載の組成物。
【請求項７】
前記少なくとも１つのサポニン含有抽出物が、約５０ｐｐｍから約２０，０００ｐｐｍの範囲の量で存在する、請求項１〜６いずれか１項に記載の組成物。
【請求項８】
前記少なくとも１つのサポニン含有抽出物が、約２５０ｐｐｍから約５，０００ｐｐｍの範囲の量で存在する、請求項７に記載の組成物。
【請求項９】
前記少なくとも１つのサポニン含有抽出物が、約２５０ｐｐｍから約１，０００ｐｐｍの範囲の量で存在する、請求項８に記載の組成物。
【請求項１０】
前記少なくとも１つのサポニン含有抽出物が、約１００ｐｐｍから約１，０００ｐｐｍの範囲の量で存在する、請求項７に記載の組成物。
【請求項１１】
前記少なくとも１つのサポニン含有抽出物が、約２５０ｐｐｍから約７５０ｐｐｍの範囲の量で存在する、請求項９に記載の組成物。
【請求項１２】
前記少なくとも１つのサポニン含有抽出物が、大豆、豆類、エンドウ豆、オート麦、ナス属及びネギ属、トマト、アスパラガス、茶、ピーナツ、ほうれん草、テンサイ、ヤムイモ、ブラックベリー、甘草、桜草の根、セネガ根、キラヤ、ユッカ、カスミソウ、及びこれらの混合物から抽出される、請求項１〜１１いずれか１項に記載の組成物。
【請求項１３】
前記少なくとも１つのサポニン含有抽出物が、ユッカ−シジゲラ、キラヤ−サポナリア及びその混合物から誘導される、請求項１２に記載の組成物。
【請求項１４】
請求項１〜１３いずれか１項に記載の保存剤組成物を含む飲料組成物。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
タンパク質導入ドメイン（ＰＴＤ）で改変されたスタフィロキナーゼ又はその変異体からなる血栓溶解タンパク分子であって、細胞膜を通過して前記スタフィロキナーゼ又はその変異体を導入することができるＰＴＤが前記スタフィロキナーゼ又はその変異体のＮ末端において融合されている組換えタンパク質であることを特徴とする血栓溶解タンパク分子。
【請求項２】
スタフィロキナーゼが、配列番号１のアミノ酸配列からなる成熟スタフィロキナーゼ（ＳＡＫ）であることを特徴とする請求項１に記載の血栓溶解タンパク分子。
【請求項３】
タンパク質導入ドメインが、アミノ酸配列ＹＡＲＡＡＡＲＱＡＲＡ又はＹＧＲＫＫＲＲＱＲＲＲからなる、請求項１又は２に記載の血栓溶解タンパク分子。
【請求項４】
組換えタンパク質が、スタフィロキナーゼ又はその変異体と、タンパク質導入ドメインとの間にアミノ酸のリンカー配列を有することを特徴とする請求項１〜３のいずれか記載の血栓溶解タンパク分子。
【請求項５】
リンカー配列が、スタフィロキナーゼ又はその変異体、及びタンパク質導入ドメインの適正なフォールディングをさせるように付加された任意の配列のアミノ酸からなることを特徴とする請求項４に記載の血栓溶解タンパク分子。
【請求項６】
リンカー配列が、グリシン及びセリンアミノ酸残基からなることを特徴とする請求項４又は５記載の血栓溶解タンパク分子。
【請求項７】
リンカー配列が、配列Ｇｌｙ−Ｇｌｙ−Ｇｌｙ−Ｓｅｒからなることを特徴とする請求項６記載の血栓溶解タンパク分子。
【請求項８】
原核生物又は真核生物発現系のいずれかにおいて発現する組換えタンパク質であることを特徴とする請求項１〜７のいずれか記載の血栓溶解タンパク分子。
【請求項９】
（ｉ）ベクターと（ii）請求項１〜８のいずれか記載の血栓溶解タンパク分子をコードする核酸フラグメントとを含む組換えＤＮＡコンストラクト。
【請求項１０】
ベクターが、大腸菌でクローン化された原核生物プラスミド発現ベクターであることを特徴とする請求項９記載の組換えＤＮＡコンストラクト。
【請求項１１】
タンパク質導入ドメインとリンカー配列とを、スタフィロキナーゼ又はその変異体に、化学合成、化学接合、又はポリメラーゼ連鎖反応（ＰＣＲ）によるヌクレオチドレベルでの配列の付加のいずれかによって付加する方法。
【請求項１２】
請求項１〜８のいずれか記載の血栓溶解タンパク分子の発現を最適化する方法であって、ヌクレオチド配列全体又は組換えタンパク質をコードするＮ末端領域が、大腸菌宿主中における発現のために最適化されたコドンである方法。
【請求項１３】
以下のステップを含む請求項１〜８のいずれか記載の血栓溶解タンパク分子を製造する方法：
（ａ）請求項９又は１０記載の組換えＤＮＡコンストラクトでクローン化された宿主細胞を培養するステップ；
（ｂ）細胞を採取して、そこから組換えタンパク質を分離するステップ；
（ｃ）少なくとも以下の１つの方法によって前記タンパク質を精製するステップ：イオン交換クロマトグラフィー、疎水性相互作用クロマトグラフィー、ゲルろ過、親和性クロマトグラフィー、塩分画、有機溶媒、遠心分離、電気泳動等による分画。
【請求項１４】
可溶性画分から又は変性状態下での封入体のいずれかから、請求項１〜８のいずれか記載の精製した血栓溶解タンパク分子を製造する方法であって、タンパク質可溶化が、尿素、塩酸グアニジン、又は他の任意の適切な変性剤のうち少なくとも１つを使用して実施される方法。
【請求項１５】
リン酸緩衝液、クエン酸リン酸塩緩衝液、又は他の任意の薬学的及び生理学的に許容される緩衝液のいずれかを含む緩衝液と、請求項１〜８のいずれか記載の血栓溶解タンパク分子とを含む医薬組成物。
【請求項１６】
血管系及び組織における血塊の溶解に有用である、請求項１５記載の医薬組成物。
【請求項１７】
脳出血及び脳卒中を含む脳血栓症及び任意の脳血管障害の治療に有用である、請求項１５又は１６記載の医薬組成物。